(57)【要約】相互接続された太陽電池モジュール（１）及びエネルギー貯蔵モジュール（２）からなる携帯型バージョン又は可搬型バージョンの太陽エネルギーを電気に変換するための移動可能な装置であって、太陽電池モジュール（１）が、パネルをエネルギー貯蔵モジュールに接続するための一組のケーブルと、特定の電力出力を有する一組の融通性のある太陽電池パネルからなり、この場合、セルは折り畳み可能なフレーム上に配置され、エネルギー貯蔵モジュール（２）が、ラップトップのサイズでは典型的なサイズの携帯型ハウジングの中に配置される一組のバッテリを備え、かつ充電及び放電プロセスを行い、前記プロセスを確認するために用いられるディスプレイを有する電子回路を装備し、この場合、上記の要素が組み立てられる前に、融通性のある太陽電池パネルの組は、パネルをエネルギー貯蔵モジュールに接続するためのケーブルの組と共に、第１のチューブケースの中に存在し、一方、折り畳み可能なフレームは、太陽電池パネルの組をフレーム上及び／又は別のアクセス可能な場所及び／又は車両上に配置及び固定するための付属品と共に、第２のチューブケースの中に存在することを特徴とする、移動可能な装置である。
2018512832.tif 000002
【特許請求の範囲】
【請求項１】
相互接続された太陽電池モジュール（１）及びエネルギー貯蔵モジュール（２）からなる携帯型バージョン又は可搬型バージョンの太陽エネルギーを電気に変換するための移動可能な装置であって、前記太陽電池モジュール（１）が、パネルをエネルギー貯蔵モジュールに接続するための一組のケーブルと、特定の電力出力を有する一組の融通性のある太陽電池パネルからなり、この場合、セルは折り畳み可能なフレーム上に配置され、前記エネルギー貯蔵モジュール（２）が、ラップトップのサイズでは典型的なサイズの携帯型ハウジングの中に配置される一組のバッテリを備え、かつ充電及び放電プロセスを行い、前記プロセスを確認するために用いられるディスプレイを有する電子回路を装備し、この場合、上記の要素が組み立てられる前に、前記融通性のある太陽電池パネルの組は、前記パネルを前記エネルギー貯蔵モジュールに接続するためのケーブルの組と共に、第１のチューブケースの中に存在し、一方、前記折り畳み可能なフレームは、前記太陽電池パネルの組を前記フレーム上及び／又は別のアクセス可能な場所及び／又は車両上に配置及び固定するための付属品と共に、第２のチューブケースの中に存在することを特徴とする、移動可能な装置。
【請求項２】
前記エネルギー貯蔵モジュールの前記ハウジングがスーツケースのサイズを有することを特徴とする、請求項１に記載の可搬型バージョンでの太陽エネルギーを電気に変換するための移動可能な装置。
【請求項３】
前記各バージョンに関して、前記光電池モジュールか又は１１０／２３０ＶのＡＣ電源のいずれかを用いるエネルギー貯蔵（充電）特徴を有する、請求項１に記載のエネルギー貯蔵モジュール。
【発明の詳細な説明】
【技術分野】
【０００１】
本発明の目的は、太陽エネルギーを、電気機器に電力を与えるためにリアルタイムで用いられる又は後で使用するべく貯蔵される電気に変換するための移動可能な（携帯型又は可搬型）装置である。
【背景技術】
【０００２】
従来技術は、太陽エネルギーを電気に変換するための種々の装置を開示している。例えば、従来技術から公知の装置は、特定の用途、すなわち、移動可能な低電力ＬＥＤ灯で用いられる（例えば庭で使用される）装置又は街灯に電力を与えることに特化されている。従来技術はまた、車両に一体化され、かつ車両（例えば、トレーラ、キャラバン、ボート上に設置された光電池システム）と協同してのみ動作する太陽エネルギーを電気に変換するための装置を開示している。最後に、従来技術は、据え置き型の光電池設備を開示している。
【発明の概要】
【発明が解決しようとする課題】
【０００３】
従来技術で公知のソリューションのいずれも、携帯型設置システムと任意の利用可能な取付け点を用いて（地面上に自立して、又は車両、ポール、建造物などを用いて）配置することができる融通性のある太陽電池の能力を活用していない。太陽エネルギーを電気に変換するための十分に移動可能なかつ汎用の装置を含むことになるソリューションも存在しない。
【課題を解決するための手段】
【０００４】
本発明に係る相互接続された太陽電池モジュール（１）及びエネルギー貯蔵モジュール（２）からなる太陽エネルギーを電気に変換するための移動可能な装置は、太陽電池モジュール（１）が、特定の電力出力を有する一組の融通性のある太陽電池パネルと、パネルをエネルギー貯蔵モジュールに接続するための一組のケーブルとを備え、この場合、セルは折り畳み可能なフレーム上に配置され、エネルギー貯蔵モジュール（２）が、ラップトップのサイズでは典型的なサイズの携帯型ハウジングの中に配置される一組のバッテリを備え、かつ電気機器に電力を与えるために、並びに充電及び放電を行い、その状態を確認するために用いられるディスプレイを有する電子システムを装備し、この場合、上記の要素が組み立てられる前に、融通性のある太陽電池パネルの組は、パネルをエネルギー貯蔵モジュールに接続するためのケーブルの組と共に、第１のチューブケースの中に存在し、一方、折り畳み可能なフレームは、太陽電池パネルの組をフレーム上及び／又は別のアクセス可能な場所及び／又は車両上に配置及び固定するための付属品と共に、第２のチューブケースの中に存在することを特徴とする。
【０００５】
好ましくは、携帯型ハウジングはスーツケースのサイズを有し、電力を与えられる装置は、５Ｖ  ＤＣのＵＳＢポート、１２Ｖ  ＤＣの車のライターソケット、及び１１０又は２３０ＶのＡＣ電源コンセントに適合する。
【０００６】
エネルギー貯蔵モジュールは、１１０又は２３０Ｖの５０電源による再充電（エネルギー補充）特徴も有する。
【０００７】
本発明に係る装置は以下の実施形態で提示されている。実施形態は、装置をバージョンに応じて説明する。装置のバージョン（携帯型又は可搬型のいずれか）は、携帯型バージョンを１人で運ぶことができ、一方、可搬型バージョンを少なくとも２人で又は車両で運ぶことができるような構成要素の寸法及び重量に基づいて決定される。
【０００８】
本発明の目的は、図面での実施形態において示される。
【図面の簡単な説明】
【０００９】
【図１】太陽電池モジュール（１）を示す図である。
【図２】エネルギー貯蔵モジュール（２）を示す図である。
【発明を実施するための形態】
【００１０】
実施形態１
携帯型装置の実施形態
相互接続された太陽電池モジュール（１）及びエネルギー貯蔵モジュール（２）からなる太陽エネルギーを電気に変換するための移動可能な装置である。太陽電池モジュール（１）は、約２００Ｗｐの特定の電力出力を有する一組の融通性のある太陽電池パネルと、パネルをエネルギー貯蔵モジュールに接続するための一組のケーブルからなり、この場合、セルはフレーム上に配置される。
【００１１】
上記の要素が組み立てられる前に、融通性のある太陽電池パネルの組は、パネルをエネルギー貯蔵モジュール（２）に接続するための一組のケーブルと共に、第１のチューブケースの中に存在し、一方、折り畳み可能なフレームは、太陽電池パネルの組をフレーム上及び／又は別のアクセス可能な場所及び／又は車両上に配置及び固定するための付属品と共に、第２のチューブケースの中に存在する。設置付属品は、ユーザが太陽電池パネルの組をフレーム上、地面上、又は車、ポール、建造物などの任意の他の利用可能な設置場所上に配置及び固定できるようにする。
【００１２】
エネルギー貯蔵モジュール（２）は、ラップトップのサイズでは典型的なサイズの携帯型ハウジングの中に配置される一組のバッテリからなる。加えて、モジュール（２）は、ディスプレイを有する電子回路を装備する。回路は、電気機器に電力を与えるために、並びに充電及び放電を行い、その状態を確認するために用いられる。
【００１３】
エネルギー貯蔵モジュール（２）は、バッテリからなり、受電器に電力を与える能力を有する充電及び放電制御システムを装備する。これは、測定特徴及び安全特徴（充電及び放電パラメータ、利用可能なエネルギー、サイクルの総数、自己診断）も装備する。太陽電池パネルの量とバッテリの容量は、装置のバージョンに依存し、装置の携帯型バージョンは、およそ１ｋＷｈまでの電気を発電及び貯蔵することを可能にし、これは、約１０時間にわたる１００Ｗのラップトップの連続動作として例証することができる。
【００１４】
携帯型バージョンでの本発明に係る装置は、ユーザが電力及びエネルギーのそれぞれの限度内で携帯型コンピュータ、並びにＵＳＢポート、１２Ｖの車のライター、及び１１０又は２３０ＶのＡＣ電源に適合する任意の移動可能な装置などの装置に電力を与えることを可能にするであろう。
【００１５】
実施形態２
この実施形態では、本発明に係る装置は可搬型装置である。装置を構成する要素は比例的により大きいが、それらの固定、接続、及び使用方法は実施形態１と同じである。このバージョンでは、最適な条件下で、太陽電池パネルの組とエネルギー貯蔵部は、ユーザが４ｋＷｈまでの電気を発電及び貯蔵できるようにし、これは約４時間にわたる１ｋＷの電気ケトルの動作として例証することができる。
【００１６】
本発明に係る装置の動作の原理
１．エネルギーの収集（充電）
充電器がエネルギー貯蔵モジュール（２）に電気を収集するためには、
１）エネルギー収集時間にわたる最高日射の場所を選択し、
２）組の一部であるフレームを展開し、太陽光線が展開されたパネルの面にできるだけ垂直に降り注ぐようにフレーム又は他の取付け点を用いて太陽電池パネルの組（１）を展開及び設置し、
３）エネルギー貯蔵モジュール（２）をパネルの組（１）の近くに配置し、ケーブルを使ってモジュールをパネルの組（１）に接続し、
４）エネルギー貯蔵モジュール（２）の制御パネルを用いてエネルギー収集プロセスが始まったかどうかを確認する。
【００１７】
太陽電池パネルの組（１）で生じた電気エネルギーは、エネルギー貯蔵モジュール（２）に伝送され、かつ後で用いるために貯蔵される。
【００１８】
２．同時のエネルギー収集（充電）及び消費
充電器がエネルギー貯蔵モジュール（２）に電気を収集するためには、
１）エネルギー収集時間にわたる最高日射の場所を選択し、
２）組の一部であるフレームを展開し、太陽光線が展開されたパネルの面にできるだけ垂直に降り注ぐようにフレーム又は他の取付け点を用いて太陽電池パネルの組（１）を展開及び設置し、
３）エネルギー貯蔵モジュール（２）をパネルの組（１）の近くに配置し、ケーブルを使ってモジュールをパネルの組（２）に接続し、
４）エネルギー貯蔵モジュール（２）の制御パネルを用いてエネルギー収集プロセスが始まったかどうかを確認し、
５）適切な受電器、すなわち携帯型コンピュータをエネルギー貯蔵モジュール（２）に接続する。
【００１９】
太陽電池パネルの組（１）で生じた電気エネルギーは、エネルギー貯蔵モジュール（２）に伝送され、かつ貯蔵され、同時に受電器に伝送される。
【００２０】
３．貯蔵したエネルギーの使用（放電）
充電器がこれまでエネルギー貯蔵モジュール（２）の中に収集した電気を提供するためには、
１）エネルギー貯蔵モジュール（２）を、受電器を接続するのに便利な場所に移動し、
２）受電器を接続し、貯蔵したエネルギーを使用し、
３）エネルギー貯蔵モジュール（２）の制御パネルを用いて利用可能なエネルギーの量を確認する。
【００２１】
エネルギー貯蔵モジュール（２）の中に収集された電気は、１つ又は複数の受電器によって用いられる。
【図１】
2018512832.tif 000003
【図２】
2018512832.tif 000004
【国際調査報告】
2018512832.tif 000005
2018512832.tif 000006